(57)【特許請求の範囲】
【請求項１】
便器本体の後部上面に載置される洗浄タンクをカバーするキャビネットの構造であって、前面板と、側面板と、対面する該側面板とトイレ室の壁面との間にこれら側面板と壁面で直接挟んで形成された収納空間に設けられる開閉扉と、前記収納空間において側面板に脱着自在に取り付けられる棚板とを有し、前記開閉扉は前記側面板に直接取り付けられ、固定板と該固定板に重ねて固定板に対し移動可能な可動板とを備え、可動板に形成した長孔を介してビスを緩めて可動板を固定板に対して進退させて扉全体の幅調整ができるようにし、前記棚板は壁面寄りの端部下面側に複数の凹条が形成され、前記開閉扉の可動板を固定板に対し壁面までの寸法に合わせて移動させると共に、前記棚板の凹条部分を側面板から壁面までの寸法に応じて切断除去するようにしたことを特徴とするキャビネット構造。
【請求項２】
前記棚板に設けたフックを、前記側面板に形成した係止孔に差し込むことで、当該棚板を脱着自在に取り付けた請求項１に記載のキャビネット構造。
【請求項３】
前記棚板は水平部と垂直部とを有し、当該垂直部の上端側にフックを設けた請求項１又は２に記載のキャビネット構造。
【発明の詳細な説明】
【０００１】
【発明の属する技術分野】
本発明は、便器本体の後部上面に載置される洗浄タンクをカバーするキャビネットの側面板とトイレ室の壁面との間に形成した収納空間に、開閉扉と棚板とを取り付けるようにしたキャビネットの構造に関するものである。
【０００２】
【従来の技術】
従来、便器本体の後部上面に載置される洗浄タンクのカバーの技術として、図４に示すものがある。この従来技術は、便器本体１の後部上面に載置される洗浄タンク２を覆うキャビネット３を箱状に形成し、便器本体１と洗浄タンク２を組み付けた後、洗浄タンク２の上方からこれに被せて施工している。そして、該キャビネット３とトイレ室壁面４との間には収納用のキャビネット５を配設するようにしている。これにより、洗浄タンク２を隠蔽することが可能であり、外観上の見栄えが良くなる。また収納キャビネット５内には棚（図示せず）が設けられることが多い。
【０００３】
【発明が解決しようとする課題】
ところが、前記先願技術にあっては、洗浄タンク２を覆うキャビネット３と、収納用のキャビネット５とが予めボックス状に形成したものであるため、工場から出荷して施工現場までへの搬送過程において、多くのスペースを必要とし、しかも嵩高いので取扱いがしづらく、搬送作業に手間取るという欠点があった。
【０００４】
またトイレ室の横幅寸法は、建物の間取りや現場において異なる。そのため、キャビネット３の両側面板３Ａとの間に収納キャビネット等を配設する場合には、予め現場の寸法に合わせた収納キャビネット５の大きさに製造するか、若しくは寸法の異なる収納キャビネットを複数種類準備しておき、選択して現場寸法に合わせるようにしなければならなかった。ところが、この場合であっても、収納キャビネットと壁面との間に隙間が形成されることは避けられず、埃やゴミなどが堆積し、清掃もしづらいという欠点があった。
【０００５】
【課題を解決するための手段】
本発明は従来の前記課題に鑑みてこれを改良除去したものであって、キャビネットの構成部材を独立して単体で取り扱うことができ、しかも、壁面との隙間を無くすべく寸法調整のできるキャビネット構造の技術を提供せんとするものである。
【０００６】
前記課題を解決するために本発明が採用した手段の特徴とするところは、請求項１に記載するとおり、便器本体の後部上面に載置される洗浄タンクをカバーするキャビネットの構造であって、前面板と、側面板と、対面する該側面板とトイレ室の壁面との間にこれら側面板と壁面で直接挟んで形成された収納空間に設けられる開閉扉と、前記収納空間において側面板に脱着自在に取り付けられる棚板とを有し、前記開閉扉は前記側面板に直接取り付けられ、固定板と該固定板に重ねて固定板に対し移動可能な可動板とを備え、可動板に形成した長孔を介してビスを緩めて可動板を固定板に対して進退させて扉全体の幅調整ができるようにし、前記棚板は壁面寄りの端部下面側に複数の凹条が形成され、前記開閉扉の可動板を固定板に対し壁面までの寸法に合わせて移動させると共に、前記棚板の凹条部分を側面板から壁面までの寸法に応じて切断除去するようにしたことである。
洗浄タンクをカバーするキャビネットを、前面板と、側面板と、対面する該側面板とトイレ室の壁面との間にこれら側面板と壁面で直接挟んで形成された収納空間に設けられる開閉扉と、前記収納空間において側面板に脱着自在に取り付けられる棚板とで構成したから、現場で組み立てることができ、収納空間を箱状のキャビネットで構成する従来技術に比較して、その取扱いが極めて便利である。
また開閉扉の可動板に形成した長孔を介してビスを緩めて可動板を固定板に対し移動させて壁面までの寸法に合わせることができると共に、棚板の壁面寄りの端部下面側に形成した凹条部分を側面板から壁面までの寸法に応じて切断除去することにより、壁面との間に隙間を発生させることがなくなる。
【０００７】
本発明に係るキャビネット構造は、請求項２に記載の如く、前記棚板に設けたフックを、前記側面板に形成した係止孔に差し込むことで、当該棚板を脱着自在に取り付けるようにしてもよい。
棚板のフックを側面板の係止孔へ嵌合させることにより、棚板の脱着作業を確実且つ迅速に行うことが可能である。
【０００８】
本発明に係るキャビネット構造は、請求項３に記載の如く、前記棚板は水平部と垂直部とを有し、当該垂直部の上端側にフックを設ける構成としてもよい。
【０００９】
【発明の実施の形態】
以下に、本発明の構成を図面に示す発明の実施の形態に基づいて説明すると次の通りである。図１乃至図３は本発明の一実施の形態に係るものであり、図１はトイレ室内へ組み込んだ状態を示すキャビネット６の正面図、図２の図（Ａ）は、キャビネット６の側面板と棚板との関係を示す正面図、図（Ｂ）は棚板の斜視図である。また図３の図（Ａ）はキャビネット６の天板を取り除いた状態の平面図、図（Ｂ）は背板と左右の側面板との関係を示す背面側から見た斜視図、図（Ｃ）は扉の部分拡大横断面図である。同図に示す如く、この実施の形態のキャビネット６は、背板７と、左右の側面板８Ａ，８Ｂと、前面板９と、天板１０とからなる。
【００１０】
背板７は、図３の図（Ａ）及び図（Ｂ）に示すように、トイレ室の背面側の壁面１１Ａの間柱１２若しくは横桟等があればこれらの建物躯体の骨組みに固定される。そして、この背板７に対して左右の側面板８Ａ，８Ｂがビス１３等により固定される。固定の順序としては、背板７に左右の側面板８Ａ，８Ｂを取り付けた後、背板７を建物躯体側へビス１３等により固定するようにすればよい。左右の側面板８Ａ，８Ｂの下端側は、Ｌ型金具等を用いて床に固定すればよい。なお、左右の側面板８Ａ，８Ｂの背面壁１１Ａ側の下部には、配管スペース又は幅木用の逃がし８Ｃが切欠き形成されている。更に、左右の側面板８Ａ，８Ｂの上部壁面よりには、壁面１１Ａへ既に設置してある横桟若しくは補強材などの逃がし８Ｄが形成されている。
【００１１】
前面板９は、上下に分割され、更に下部側が左右に分割されており、上部分割片９Ａと、下部左側分割片９Ｂと、下部右側分割片９Ｃとから成る。上下に分割する位置は、便器本体１５のリム通水路１６の下方側にしている。これは、上下の分割ラインＨが便器本体１５の上面よりも低い位置に形成され、安定した印象を与えるからである。また前面板９の上下の分割片９Ａ〜９Ｃを、便器本体１５の形状に沿わせるように製作することが容易となるからである。
【００１２】
上部分割片９Ａの場合は、便器本体１５の後部上面に上方から跨がることのできるようにコ字状の突出部１７Ａ，１７Ｂを形成し、矩形状の切欠き１８を設ければよい。また下部側の左右の分割片９Ｂ及び９Ｃについては、内側端面をそれぞれ便器本体１５の左右側面形状に倣った形状にすればよく、リム通水路１６の下方側の凹部に対応する位置には、該凹部に向かって突出する凸部１９Ａ，１９Ｂが形成されている。これにより、便器本体１５の左右側面のそれぞれについて独立して製作できるので、その作業が極めて容易である。これらの各分割片９Ａ〜９Ｃは、左右の側面板８Ａ，８Ｂの木口にダボ嵌合方式又はビスなどにより固定されている。
【００１３】
また下部側の分割片９Ｂ及び９Ｃの内側縁には、可撓性を有する緩衝材（図示せず）が取り付けられており、便器本体１５の外周面との間に隙間が形成されないようになされている。
なお、天板１０の上面に設けられた開口部には、洗浄タンク２１の手洗い吐水管２２を含めた手洗い吐水鉢部２３が嵌合装着されている。
【００１４】
またキャビネット６の左右には、それぞれ壁面１１Ｂ，１１Ｃとの間に形成された収納空間Ａ及びＢに、棚板２４及び２５がそれぞれ上下に二段ずつ設けられている。棚板２４及び２５は、水平部２４Ａ，２５Ａと、垂直部２４Ｂ，２５Ｂとを有し、垂直部２４Ｂ，２５Ｂの上端側に設けたフック２６がキャビネット６の左右の側面板８Ａ，８Ｂに設けられた係止孔２７に差し込まれることで脱着自在に取り付けられている。しかも、この棚板２４及び２５の先端下面側には、図２の図（Ｂ）に示すように、その幅方向の全面にわたって凹条２８が複数個、所定のピッチで設けられている。この凹条２８は、前記収納空間Ａ及びＢの左右の側面板８Ａ，８Ｂから壁面１１Ｂ，１１Ｃまでの寸法に応じて、当該凹条２８の位置で棚板２４及び２５の先端部分を切断除去することにより、棚板２４及び２５の寸法を収納空間Ａ及びＢの寸法に合わせるように調整するためのものである。
【００１５】
更にキャビネット６の左右には、それぞれ壁面１１Ｂ，１１Ｃとの間に形成された収納空間Ａ及びＢを開閉するための開閉扉２９及び３０が設けられている。なお、前記天板１０は、キャビネット６と、収納空間Ａ及びＢを含めた左右の開閉扉２９及び３０の全体に被さるように一体的に形成されている。左右の開閉扉２９，３０はそれぞれ固定板２９Ａ，３０Ａと可動板２９Ｂ，３０Ｂとを備えており、可動板２９Ｂ，３０Ｂを固定板２９Ａ，３０Ａに対して移動させて、左右の壁面１１Ａ，１１Ｂまでの寸法に合わせることができるようになされている。寸法調整は、図３の図（Ｃ）に示すように、可動板２９Ｂ，３０Ｂに長孔３１を形成し、ビス３２を緩めて可動板２９Ｂ，３０Ｂを固定板２９Ａ，３０Ａに対して進退させることにより行っている。開閉扉２９及び３０の開閉は、キャビネットの側面板８Ａ，８Ｂに取り付けたヒンジ３３を介して行うようになされている。開閉扉２９及び３０を開閉することにより、収納空間Ａ及びＢに物を収納したり、取り出したりできるようになっている。
【００１６】
ところで、本発明は上述した実施の形態に限定されるものではなく、適宜の変更が可能である。例えば、棚板２４及び２５は、キャビネット６の左右の側面板８Ａ，８Ｂと壁面１１Ｂ，１１Ｃとの間の収納空間Ａ及びＢのいずれか一方側に配設する構成であってもよい。また棚板２４及び２５の段数は、２段以上の複数個であってもよく、一段であってもよい。更に、棚板２４及び２５の寸法を調整するための凹条２８は、Ｖ字状の溝であってもよい。更にまた、棚板２４及び２５の係止は、キャビネット６の左右の側面板８Ａ，８Ｂ側に格子状のフレームを有する部材を配置し、フック２６を当該格子状のフレームに係止させるようにしてもよい。
【００１７】
【発明の効果】
以上説明したように本発明にあっては、洗浄タンクをカバーするキャビネットを、前面板と、側面板と、対面する該側面板とトイレ室の壁面との間にこれら側面板と壁面で直接挟んで形成された収納空間に設けられて側面板に直接取り付けられる開閉扉と、前記収納空間において側面板に脱着自在に取り付けられる棚板とで構成したから、現場で組み立てることができ、収納空間を箱状のキャビネットで構成する従来技術に比較して、その取扱いが極めて便利である。
【００１８】
また開閉扉の可動板に形成した長孔を介してビスを緩めて可動板を固定板に対し移動させて壁面までの寸法に合わせることができると共に、棚板の壁面寄りの端部下面側に形成した凹条部分を側面板から壁面までの寸法に応じて切断除去することにより、壁面との間に隙間を発生させることがなくなる。
【００１９】
更に、本発明にあっては、側面板に係止孔を形成し、棚板にフックを設けて脱着自在としたから、棚板の脱着作業を確実且つ迅速に行うことが可能である。
【図面の簡単な説明】
【図１】本発明の一実施の形態に係るキャビネットを、トイレ室内へ組み込んだ状態の正面図である。
【図２】本発明の一実施の形態に係るものであり、図（Ａ）はキャビネットの左右の側面板と棚板との関係を示す正面図、図（Ｂ）は棚板の拡大斜視図である。
【図３】本発明の一実施の形態に係るものであり、図（Ａ）はキャビネットの天板を取り除いた状態の平面図、図（Ｂ）は背板と左右の側面板との関係を示す背面側から見た斜視図、図（Ｃ）は扉の部分拡大横断面図である。
【図４】従来技術に係る便器本体へ取り付けたキャビネットの斜視図である。
【符号の説明】
６…キャビネット、７…背板、８Ａ，８Ｂ…側面板、１１Ａ…トイレ室背面壁面、１１Ｂ，１１Ｃ…トイレ室左右の壁面、１５…便器本体、２１…洗浄タンク、２４，２５…棚板、２４Ａ，２５Ａ…水平部、２４Ｂ，２５Ｂ…垂直部、２６…フック、２７…係止孔、２８…凹条
【図４】
0003975339.tif 000002
【図１】
0003975339.tif 000003
【図２】
0003975339.tif 000004
【図３】
0003975339.tif 000005